(57)【要約】      （修正有）【課題】上空で水が飛散する機能を備え、楽しさと需要を増大させるフライングディスクを提供する。【解決手段】フライングディスクの下部に、合成樹脂の窪みのある板１を取り付け、フライングディスクの中央または中央付近には水を注入するための穴５を設ける。１の縁には、水が通るための少なくとも二か所の穴３を設ける。フライングディスクの外縁部は内側に入り込む形状にし、空間Ａ７が生じるようにする。このとき、体積Ａ７＞体積Ｂ８となるようにする。以上のように形成することで、遠心力の作用により、上空で水が落下する。【選択図】図１
0003158069.tif 000002
【実用新案登録請求の範囲】
【請求項１】
フライングディスクの下部に、合成樹脂の窪みのある板（１）を取り付ける。（１）の縁には、水が通るための少なくとも二か所の穴（３）を設ける。フライングディスクの外縁部（４）は内側に入り込む形状にし、（空間Ａ）が生じるようにする。このとき、（体積Ａ）＞（体積Ｂ）となるようにする。フライングディスクの中央または中央付近には水を注入するための穴（５）を設ける。以上のように形成することで、回転を加えながら投じた時に、上空で水が飛散することを特徴とするフライングディスク構造。
【考案の詳細な説明】
【技術分野】
【０００１】  本考案は、円盤型遊具であるフライングディスクの機能と構造に関し、その構造において、内部に水を蓄える空間をつくることにより、ディスクの飛行後数秒後に上空で水が拡散放水するという、遊び心を刺激する機能を有する構造にかかわる。
【背景技術】
【０００２】  従来から、フライングディスクの楽しみ方は、二名以上の人間間で投げる・受け取るを繰り返したり、距離を競ったり、的に当てたり、犬を相手として投げ、犬が受け取る、などであった。近年では、柔らかい素材を使うことで安全性を高めたり、より飛距離が伸びるよう形状を工夫した製品が販売されている。【０００３】  また、ディスクの片側に突起を設け、突起の反対側の面に番号を書き込み、突起を軸としてコマのように回転させることで、ルーレットとしての機能を持たせたフライングディスクが発明されている（特許文献１）。【０００４】  また、ディスク外周部付近の一部に重りを取り付けることで重心をアンバランスにし、飛行時の軌道を複雑にすることで受け取ることを難しくして楽しさを増すフライングディスクが考案されている（特許文献２）。【０００５】
【先行技術文献】
【特許文献１】  特許公開第１９９７−２０１４３９号広報
【特許文献２】  登録実用新案第３１０５４４９号広報
【考案の概要】
【考案が解決しようとする課題】
【０００６】  特許文献１の発明も特許文献２の考案も楽しく効果的である。本考案のフライングディスクでは、これらとは性質の異なる楽しさを付加する構造に関するものである。また、通常のフライングディスクとしての遊び機能も備えている。【０００７】  本考案のフライングディスク構造では、二重構造にした内部に水を蓄え、ディスクを投げた後数秒経過してから、一定条件のもと上空で水が拡散放水するという機能を備えている。【０００８】  この機能により遊び心を刺激し、フライングディスクの需要増大に資することが本考案の目的である。
【課題を解決するための手段】
【０００９】  本考案のフライングディスクは、比較的柔らかい合成樹脂で形成したフライングディスクの円形部分を二重構造にする。【００１０】  円形部下部構造体（１）は中央などが窪んだ形にし、内部に水を蓄えることができる。【００１１】  フライングディスクの中央または中央付近に穴（５）を設け、水の注入ができるようにする。【００１２】  円形部下部構造体（１）の上部に、少なくとも二か所の穴（３）を設け、水の排出ができるようにする。【００１３】  外縁部（４）は、内側に入り込む形状にし、（断面積ａ）が生じるようにする。【００１４】  （体積Ａ）は、（体積Ｂ）より大きくする。
【考案の効果】
【００１５】  本考案のフライングディスク構造は、（空間Ｂ）に水を蓄えた後空中に飛行させた際、遠心力の作用で水が（空間Ａ）に移動する。【００１６】  また飛行中、上空で回転力が弱まるに伴い、遠心力も弱まり、ディスクは水を保持できなくなり、落下する。この際遠心力の影響により水は外側に拡散しながら落下する。
【図面の簡単な説明】
【００１７】
【図１】  （イ）、（ロ）はそれぞれ本考案の水落下フライングディスク構造の側面断面図および水の蓄えられる空間などを示す図である。
【図２】  （ハ）、（ニ）はそれぞれ本考案の水落下フライングディスク構造の上面図と、フライングディスク上部を取り除いた場合の水を蓄える空間を示す上面図である。
【図３】  （ホ）、（ヘ）、（ト）はそれぞれ本考案の水落下フライングディスク構造を投げて飛行させる前の水の所在を示す図、飛行させた直後の水の所在を示す図、飛行後回転力および遠心力が弱まり水が落下する時を示す図である。
【符号の説明】
【００１８】１・・・・・・円形部下部構造体
２・・・・・・上部円形部構造
３・・・・・・水排出口
４・・・・・・外縁部
５・・・・・・水注入口
６・・・・・・水
７・・・・・・（断面積ａ）または（体積Ａ）または（空間Ａ）
８・・・・・・（断面積ｂ）または（体積Ｂ）または（空間Ｂ）
９・・・・・・側面断面図
１０・・・・・空間などを示す側面断面図
１１・・・・・上面図
１２・・・・・空間などを示す上面断面図
１３・・・・・水注入直後の側面断面図
１４・・・・・回転を加えて投げた時の側面断面図
１５・・・・・水が落下する時の側面断面図
【考案を実施するための形態】
【００１９】  本考案の水落下フライングディスク構造について、その大きさおよび形状・素材については多様に形成できるが、その実施の最良の形態について、図面に示す実施例に基づいて、具体的に説明する。
【実施例】
【００２０】  図１の水注入口（５）から水を注入し、図１（ロ）に示した（空間Ｂ）に水を入れる。図３（ホ）は、このときの状態である。【００２１】  図３（ホ）を外縁部（４）を掴んで回転させながら投げると、水（６）は遠心力により水排出口（３）から流れ出し、図１（ロ）に示した（空間Ａ）に注がれ、留まる。図３（ヘ）は、このときの状態である。【００２２】  図３（ヘ）が、上空での回転力が弱まるに伴い遠心力も弱まり、水（６）は重力に抗することができなくなり、落下する。図３（ト）は、このときの状態である。水は遠心力の影響でディスクの外側下方に放射状に落下する。
【産業上の利用可能性】
【００２３】  フライングディスクを投げて受け取るという、やや単調な遊びだけでなく、上空から水が降り注いでくることに楽しさを感じることで、購買者の商品満足度を高め、さらなる購買意欲を喚起し、産業の発展に資することができる。
【図１】
0003158069.tif 000003
【図２】
0003158069.tif 000004
【図３】
0003158069.tif 000005
【手続補正書】
【提出日】平成21年10月13日(2009.10.13)
【手続補正１】
【補正対象書類名】実用新案登録請求の範囲
【補正対象項目名】全文
【補正方法】変更
【補正の内容】
【実用新案登録請求の範囲】
【請求項１】
フライングディスクにおいて、
（ａ）  下部に、合成樹脂の窪みのある板（１）を取り付け、
（ｂ）  （１）の縁には、水が通るための少なくとも二か所の穴（３）を設け、
（ｃ）  フライングディスクの外縁部（４）は内側に入り込む形状にし、空間Ａが生じるようにし、
（ｄ）  体積Ｂより体積Ａが大きくなるようにし、
（ｅ）  フライングディスクの中央または中央付近には水を注入するための穴（５）を設ける
以上のように形成することで、水を注入するための穴（５）に水を注入した後、回転を加えながら投じた時に、上空で水が飛散することを特徴とするフライングディスク構造。
【手続補正書】
【提出日】平成21年12月16日(2009.12.16)
【手続補正１】
【補正対象書類名】実用新案登録請求の範囲
【補正対象項目名】全文
【補正方法】変更
【補正の内容】
【実用新案登録請求の範囲】
【請求項１】
フライングディスクにおいて、
（ａ）  下部に、合成樹脂の窪みのある板（１）を取り付け、
（ｂ）  板（１）の縁には、水が通るための少なくとも二か所の穴（３）を設け、
（ｃ）  フライングディスクの外縁部（４）は内側に入り込む形状にし、空間Ａが生じるようにし、
（ｄ）  フライングディスク内部の水が溜まる空間Ｂの体積Ｂよりも空間Ａの体積Ａが大きくなるようにし、
（ｅ）  フライングディスクの中央または中央付近には水を注入するための穴（５）を設ける
以上のように形成することで、水を注入するための穴（５）に水を注入した後、回転を加えながら投じた時に、上空で水が飛散することを特徴とするフライングディスク構造。
【手続補正２】
【補正対象書類名】明細書
【補正対象項目名】０００２
【補正方法】変更
【補正の内容】
【０００２】  従来から、フライングディスクの楽しみ方は、二名以上の人間間で投げる・受け取るを繰り返したり、飛距離を競ったり、的に当てたり、犬を相手として投げ、犬が受け取る、などであった。近年では、柔らかい素材を使うことで安全性を高めたり、より飛距離が伸びるよう形状を工夫した製品が販売されている。
【手続補正３】
【補正対象書類名】明細書
【補正対象項目名】０００５
【補正方法】変更
【補正の内容】
【０００５】
【先行技術文献】
【特許文献１】  特許公開第１９９７−２０１４３９号公報
【特許文献２】  登録実用新案第３１０５４４９号公報
【手続補正４】
【補正対象書類名】明細書
【補正対象項目名】００１３
【補正方法】変更
【補正の内容】
【００１３】  外縁部（４）は、内側に入り込む形状にし、断面積ａが生じるようにする。
【手続補正５】
【補正対象書類名】明細書
【補正対象項目名】００１４
【補正方法】変更
【補正の内容】
【００１４】  空間Ａの体積Ａは、フライングディスク内部の水が溜まる空間Ｂの体積Ｂより大きくする。
【手続補正６】
【補正対象書類名】明細書
【補正対象項目名】００１５
【補正方法】変更
【補正の内容】
【００１５】  本考案のフライングディスク構造は、空間Ｂに水を蓄えた後空中に飛行させた際、遠心力の作用で水が空間Ａに移動する。
【手続補正７】
【補正対象書類名】明細書
【補正対象項目名】００１６
【補正方法】変更
【補正の内容】
【００１６】  また飛行中、上空で回転力が弱まるに伴い、遠心力も弱まり、ディスクは水を保持できなくなり、水が落下する。この際遠心力の影響により水は外側に拡散しながら落下する。
【手続補正８】
【補正対象書類名】明細書
【補正対象項目名】００１８
【補正方法】変更
【補正の内容】
【００１８】１・・・・・・円形部下部構造体
２・・・・・・上部円形部構造
３・・・・・・水排出口
４・・・・・・外縁部
５・・・・・・水注入口
６・・・・・・水
７・・・・・・断面積ａまたは体積Ａまたは空間Ａ
８・・・・・・断面積ｂまたは体積Ｂまたは空間Ｂ
９・・・・・・側面断面図
１０・・・・・空間などを示す側面断面図
１１・・・・・上面図
１２・・・・・空間などを示す上面断面図
１３・・・・・水注入直後の側面断面図
１４・・・・・回転を加えて投げた時の側面断面図
１５・・・・・水が落下する時の側面断面図
【手続補正９】
【補正対象書類名】明細書
【補正対象項目名】００２０
【補正方法】変更
【補正の内容】
【００２０】  図１の水注入口（５）から水を注入し、図１（ロ）に示した空間Ｂに水を入れる。図３（ホ）は、このときの状態である。
【手続補正１０】
【補正対象書類名】明細書
【補正対象項目名】００２１
【補正方法】変更
【補正の内容】
【００２１】  図３（ホ）を外縁部（４）を掴んで回転させながら投げると、水（６）は遠心力により水排出口（３）から流れ出し、図１（ロ）に示した空間Ａに注がれ、留まる。図３（ヘ）は、このときの状態である。